(57)【要約】【課題】  転落防止装置の覆い部に加わる荷重を確実に受け止めることができる地下構造物用転落防止装置を提供する。【解決手段】  地下構造物を構成する受枠の開口部に取り付け、人や物などが開口内に転落するのを防止する装置であって、人や物などの転落を防止するために受枠１０の開口部１１を覆う大きさ及び形状を有する板状の覆い部２１と、開口部１１の内側に取り付けるために、覆い部２１の周縁部に設けた支持部２４、２５、２６、２７、２８、２９とを有する本体２３を具備し、支持部２４、２５、２６、２７、２８、２９は、本体２３の覆い部２１に加わる荷重を受け止めるために、開口部１１の内側に設けられている受け止め部１２に、必要な長さにわたって連続的に支持されるように構成する。【選択図】          図７
2006257733.tif 000002
【特許請求の範囲】
【請求項１】
地下構造物を構成する受枠の開口部に取り付け、人や物などが開口内に転落するのを防止する装置であって、人や物などの転落を防止するために受枠の開口部を覆う大きさ及び形状を有する板状の覆い部と、開口部の内側に取り付けるために、覆い部の周縁部に設けた支持部とを有する本体を具備し、支持部は、本体の覆い部に加わる荷重を受け止めるために、開口部の内側に設けられている受け止め部に、必要な長さにわたって連続的に支持され、受け止め部の主要部は、受枠の有効径を規定する箇所よりも外側かつ受枠のほぼ最下部に設けられていることを特徴とする地下構造物用転落防止装置。
【請求項２】
受け止め部は、受枠の下面近くにて内方へ向けて設けられている内突縁や、開口部の内側に設けられている手掛けを含んでおり、それらは開口部の円周方向にほぼ沿った形態を有している請求項１記載の地下構造物用転落防止装置。
【請求項３】
本体を開口部の内側に取り付けた状態において、開口部の内方にて作業が可能な照度を得るために、明かり取りとなる透孔を多数形成した構成を有している請求項１記載の地下構造物用転落防止装置。
【請求項４】
透孔は覆い部に形成されており、開口部より深さ２メートルの地点における照度が少なくとも３００ルクスとなるように、全ての透孔の合計面積を設定した請求項３記載の地下構造物用転落防止装置。
【請求項５】
本体を、開口部の内方から取り外すことを可能にするために、手でつかむための取っ手
を、本体を貫通して設けている請求項１記載の地下構造物用転落防止装置。
【請求項６】
本体の覆い部又はその他の箇所に、開口部の存在を知らせるための反射板を設けている請求項１記載の地下構造物用転落防止装置。
【請求項７】
本体の覆い部の明かり取りとなる透孔の一部又は全部を閉塞するために、透孔に組み付け可能な閉塞栓を有している請求項１記載の地下構造物用転落防止装置。
【発明の詳細な説明】
【技術分野】
【０００１】
本発明は、地下構造物を構成する受枠の開口部に取り付け、人や物などが開口内に転落するのを防止する装置に関するものである。
【背景技術】
【０００２】
人や物などがマンホールなどの開口内に転落するのを防止する器具や装置は各種存在しており、それらの具体的な形状には差があるが、格子状又は網状の構造が基本的なものであるといって良い。それらの転落防止装置は、地下構造物の受枠に何箇所かの係止部にて支えており、しかも各係止部は部分的であるので人の転落事故などが発生したときにその荷重が平均的に加わりにくく、往々にして片寄って加わるためその荷重を支え切れず、安全を十分に確保できないおそれがあった。まして、マンホール内における硫化水素ガス等による腐食環境に耐えるために、耐食性のある合成樹脂によって製作されたものの場合には、大荷重に耐えることはより困難となる。
【０００３】
これに対して、実開平４−１３８４４１号や特開平１０−３３８９４２号、或いは特開平１１−１３１５１２号の転落防止蓋は取り付け座を等間隔に数箇所設けており、荷重はほぼ均等に加わると考えられる。しかしながら、上記のものの場合の取り付け座として、受枠の中心側に臨む弦を受枠の中心線と直交する直線状に設けているため、受枠の有効径を狭めることになるという問題がある。有効径は受枠下端における開口部の内径と規定されているが、上記の発明考案では受枠の有効径よりも取り付け座は小径となるので、例えば公称６００φでも実際は６００ミリメートルの有効径に足りないという事態が起こることになる。
【０００４】
また、特開２００１−２０３０７号、同２００２−６１２１４号、同２００３−２０６５４３号などに見られるように、格子や網の目が大きい場合には、小石やボルト、ナットなどがマンホール内に落下するのを止められず、下流のポンプ室のポンプ等の設備を破損するおそれがある。転落防止装置と共に断熱用の中蓋を併用することにより、小石等の落下を防ぐことも可能となるが、外光が遮断され、マンホール内における作業を妨げるの
で、照明が必要となり、電源を確保しなければならないなど新たな問題を生ずる。また、この種の装置は外部から着脱することを想定して設計されているので、１人で作業しなければならない場合、マンホール内にいる状態では、装置を取り外して外へ出るために手間取ることになる。
【０００５】
【特許文献１】実開平４−１３８４４１号
【特許文献２】特開平１０−３３８９４２号
【特許文献３】特開平１１−１３１５１２号
【特許文献４】特開２００１−２０３０７号
【特許文献５】特開２００２−６１２１４号
【特許文献６】特開２００３−２０６５４３号
【発明の開示】
【発明が解決しようとする課題】
【０００６】
本発明は前記の点に着目してなされたものであり、その課題は、転落防止装置の覆い部に加わる荷重を確実に受け止めることができる地下構造物用転落防止装置を提供することである。また本発明の他の課題は、受枠の有効径を狭めず、かつまたマンホール内での作業中に使用するものとしてより好適な性能を有する地下構造物用転落防止装置を提供することである。
【課題を解決するための手段】
【０００７】
前記の課題を解決するため、本発明は、地下構造物を構成する受枠の開口部に取り付
け、人や物などが開口内に転落するのを防止する装置について、人や物などの転落を防止するために受枠の開口部を覆う大きさ及び形状を有する板状の覆い部と、開口部の内側に取り付けるために、覆い部の周縁部に設けた支持部とを有する本体を具備し、支持部は、本体の覆い部に加わる荷重を受け止めるために、開口部の内側に設けられている受け止め部に、必要な長さにわたって連続的に支持されるように設け、受け止め部の主要部は、受枠の有効径を規定する箇所よりも外側かつ受枠のほぼ最下部に設けるという手段を講じたものである。
【０００８】
本発明に係る転落防止装置は、いわゆるマンホールやハンドホールなど、地下構造物を構成しているものの開口部に取り付け、蓋を開けて開口部を開いている間に、その内部に人や物などが転落ないし落下することを防止する装置である。従って、この転落防止装置は、人や物などの転落を防止するために受枠の開口部を覆う手段として板状の覆い部を必要とし、覆い部を開口部の内側に取り付ける手段として支持部を必要とする。なお覆い部を開口部の内側に取り付けるのは、不使用時に本体を取り付けたまま開口部に蓋をして閉じるためである。
【０００９】
本発明における覆い部は、格子状や網状ではなく板状とする。板状であることによっ
て、小石やボルト、ナットなどを受け止め、地下構造物内への落下を防ぐことができるからである。その材質については限定しないが、製作の容易さから、合成樹脂か金属のどちらかが有力となる。支持部は、覆い部の周縁部に設けられ、覆い部と一体となって本体を構成する。従来の支持部に相当する部分は、概して部分的に受枠側の受け座に支持されており、覆い部に荷重がかかった場合、点状の係止部が荷重に耐え切れずに、外れたり、破損したりする可能性があるため、本発明では点状よりも線状に連続した広範囲の支持部を設ける。
【００１０】
即ち支持部は、覆い部に加わった荷重を受け止め、受枠側の受け座である受け止め部に伝えるため、荷重を集中させずに分散するように必要な長さにわたって受け止め部と接触するように設けられている。支持部は、全周３６０度のほぼ全域にて均等に転落事故の荷重を受け止められるものであることも必要である。従って、支持部に求められる力学的な条件は、線状に連続して荷重を受け、かつ受け止め部に伝え得ることと、全周３６０度のほぼ全域にて均等に荷重を負担し得るようにすること、の２点であると考えて良く、これらによって本体に加わる荷重を特定の数点に集中させることなく分散し、確実に受け止めることができるものとなる。
【００１１】
受け止め部は、受枠の開口部の内側に設けられている構造部分を利用する。例えば、受枠の下面又はその近傍にあって内方に向かって突出するように設けられている内突縁や、開口部の内側に設けられている手掛けなどは受け止め部として使用することができる構造部分に該当する。他に受け止め部となり得るのは、蓋受け部として受枠の開口部に設けられ、上方からの荷重を負担し得る箇所であり、例えば蓋の外周のテーパー面を受け止めるテーパー鉄蓋用受枠では、受け止めた鉄蓋の食い込みを止める受け止め駒などを設けている部分がある。例えば、左右対称に手掛けと、その反対側の部分及びその中間の３箇所に支持部を設定する実施例の場合、計６箇所に線状の支持部が分散し、ほぼ均等な荷重負担が実現可能になる。これらの受け止め部の内、主要部は、受枠の有効径を規定する箇所よりも外側かつ受枠のほぼ最下部に設けるものとし、それによって受枠の有効径が狭められないようにする。この目的を達する受け止め部の主要部は、受枠の最下部に設けられている内突縁が該当する。また主要部とは、受け止め部の中の主だったものの意味であり、全ての受け止め部の中で占める割合も最大となる部分である。
【００１２】
本体が透明でない材料によって形成される場合、本体を開口部の内側に取り付けた状態において、開口部の内方にて作業が可能な照度を得るために明かり取りとなる透孔を多数形成することができる。透孔は、孔径を大きくし過ぎると小石等の落下を止めるのに不利となり、逆に小さくし過ぎれば光を遮断する傾向となり、孔数を著しく増やさなければならないので、その折り合いを見つける必要がある。本発明では、工場の照度基準に関するＪＩＳの規定の内で、一般の製造工程の視作業に必要とされている３００〜７５０ルクスから、春期の日中に少なくとも３００ルクスがマンホールの深さ２ｍ地点で得られることを目標として全ての透孔の合計面積を設定した。明かり取りとなる透孔には、閉塞栓を組み付けてその一部又は全部を閉塞可能として、物や雨、汚水等が入り込むのを防止することができる。
【００１３】
本体には、開口部の内方から転落防止装置を取り外すことを可能にするために、本体を手でつかむための取っ手を貫通状に設けることができる。内方から取っ手を手でつかむことができるため、転落防止装置を確実に受枠に取り付け、また無理なく取り外すことができるようになる。また本体には、反射板を覆い部又はその他の箇所に設け、開口部の存在を知らせて危険を回避する措置を取ることができる。このためには、本体全体を黄又は赤等によって着色するのも良い。このような構成を有する転落防止装置はプラスチック成形品として製造することができるが、そのために各部に構造強度を向上する手段を具備させることが有効であり、それによって本体に加わる荷重に耐え、かつ受枠に伝え得るものとなる。また強度向上手段に加えて、荷重による本体の変形に伴って、支持部が受け止め部からずれ動くのを止めるずれ止め手段を具備することも有効である。
【発明の効果】
【００１４】
本発明は以上の如く構成されかつ作用するものであるから、転落防止装置の覆い部に加わる荷重を、所要の長さにわたって設けられている支持部によって受枠側の受け止め部に伝えられるので、荷重を特定箇所に集中させずに分散することができ、転落防止装置により確実に安全に人や物などの転落を防止することができるとともに、受枠の有効性を狭めることがない。また本発明によれば、マンホール内での作業に必要な照度を得ることが可能であるとともに、１人でも本装置の装着を行うことができ、また通行人等に対しては地上に開口部であることを知らせることができるので、マンホール内での作業中に使用するものとしてより好適な性能を発揮する。
【発明を実施するための最良の形態】
【００１５】
以下図示の実施形態を参照して本発明をより詳細に説明する。図１は本発明に係る転落防止装置２０を示しており、図２はそれを地下構造物の受枠１０に取り付けたものを示している。例示のものは、受枠１０の開口部１１を覆う大きさ及び形状を有する板状の覆い部２１を有し、その周縁部には立ち上がり部２２が設けられていて全体を皿型構造として立体化し、構造強度を高めている。覆い部２１の周囲の立ち上がり部２２の外側には、幾つかの部分に分かれた支持部２４…が設けられている。覆い部２１、立ち上がり部２２及び支持部２４…を含む全体で本体２３を構成している。
【００１６】
第１の支持部２４、２５は、受枠１０の開口部内の下面近くにて内方へ向かって突出するように、ほぼ全周にわたって設けられた内突縁１３の上面を止め部１２としてそこに係止される（図９参照）。内突縁１３は受枠１０のほぼ最下部にほぼ全域にわたって設けてあり、受け止め部の主要部であるので、最も広い範囲にわたって第１支持部２４、２５を支持する箇所となる。なお、例示の受枠１０の有効径は内突縁１３の部分における内径である。支持部の内の第１の部分である支持部２４、２５は、本体２３の立ち上がり部２２の外周に外方へ向かって突出するように、かつ周方向に沿って所要の長さにわたって設けられた部分である。図３Ｂに示されているように、第１の支持部２４、２５は円弧形の形状を有し、中心角ａが約５０度の範囲のものを、蓋体をロックする装置に臨む側に左右対称に２箇所設けている（図７参照）。
【００１７】
第２の部分である支持部２６、２７は、本体２３の立ち上がり部２２の上端を外縁として本体２３の上面に、ほぼ周方向に沿って所要の長さにわたって設けられている。例示の第２の支持部２６、２７は、図７から理解されるように中心角ｂにして約４０度に及ぶ直線状の部分であり、左右対称に２箇所設けている。第２の支持部２６、２７を係止させる受け止め部１２は、受枠１０のヒンジ部の左右両側に設けられている手掛け１４の上面を利用する（図７、図９参照)。
【００１８】
第３の部分である支持部２８、２９は、立ち上がり部２２の上端に続く本体２３の上面に外方へ向かって鉤状に突出した形で、本体２３の中央部左右に設けられており（図５参照）、中心角ｃが１０度ほどで、所要の長さにわたって受枠側に係止する。これは実施例の中では最も短いものであるが、その受け止め部１２は、テーパー鉄蓋用受枠１０に受け止め駒１５を設けている内周縁１６の上面であり、複数個設けても良い（図７、図９参照)。
【００１９】
このような支持構成は、第１の支持部２４、２５と、第２の支持部２６、２７の合計で全周３６０度の２分の１の約１８０度に達し、さらに第３の支持部２８、２９を加えて約２００度の範囲にわたっており、かつまた開口部１１のロック部側に第１の支持部２４、２５、中央左右に第３の支持部２８、２９そしてヒンジ部側の左右の第２の支持部２６、２７というように数個のものが均等に分散して設けられている。これらの数箇所の支持部は、地下構造物の受枠１０の開口部１１に設けられている、鉄蓋の固定のためのヒンジ部１７とロック部１８を結ぶ中心線に対して左右対称となるように配置されている。また本体２３は、ロック部１８との抵触を回避する凹部３１と、ヒンジ部１７との抵触を回避する切欠部３２を具備した、全体として強固な立体構造を有しており、覆い部２１に転落事故の荷重がかかったときには、強度向上手段によって変形が防止され、また受枠１０との間のずれ止め手段によってずれ動くことがなく、荷重を全部受枠１０の受け止め部１２としての内突縁１３、手掛け１４及び内周縁１６に伝える構成である。強度向上手段として実施例では、第１の支持部２４、２５の下面に複数のリブ２２ａを形成するとともに支持部周縁に立ち下がり縁部２２ｂを設けて立体化し、本体２３の透孔３３を１個毎に囲む箱型のリブ２２ｃを設け、また本体覆い部２１と第２支持部側隆起部の間に段部２２ｄを形成し剛性を高めている。ずれ止め手段の一つは、前記の手掛け１４、１４に係止する第２の支持部２６、２７であり、もう一つのずれ止め手段は第１の支持部２４、２５の厚肉部分に形成した係止口１９ａであり、受枠１０の内突縁１３の上に突設された突起１９ｂに係止する。図１０、図１１Ｅ参照。
【００２０】
さらに、本体２３の覆い部２１には板面を貫通する透孔３３がほぼ全面にわたって均等に開けられており、明かり取りとなる。例示した透孔３３は、春期における日中午後、関東地方において実験した結果に基づいて開けられているもので、開口部１１よりの深さ２メートルの地点における照度が３００ルクスとなるように、孔径１５ミリメートルの透孔３３を開口部１１の面積の約２０パーセント開口したものに相当する。これは一実施例であり、より照度を上げること或いは下げることは自由であるから、特に実験時期が春であったことを考慮し、冬期或いは関東地方よりも東北方での条件を重視する場合にはより開口率を上げることが必要であろうし、逆に夏期或いは関東地方よりも西南方での条件を重視する場合にはより開口率を下げることが必要となるであろう。透孔３３には閉塞栓４１を組み付けることができる（図１２参照）。閉塞栓４１は、１個の透孔３３に１個ずつ組み付けるものでも良いし、複数個の透孔３３をまとめて閉塞するように組み付けるものでも良い。
【００２１】
本体２３には、手でつかむための取っ手３５、３６を設けている。取っ手３５、３６
は、前記凹部３１及び切欠部３２を設けた箇所に、立ち上がり部２２の上端に達する貫通部３７、３８を設けることによって、手を差し入れつかむことができるように設けられている。取っ手３５、３６は作業者が両手を使って本体２３をつかむことができるように、本体２３の直径方向の両端に位置する辺りに設けている。また、本体２３の覆い部２１には反射板取り付け部３９を形成し、そこに別製の反射板４０を取り付けている(図２、図７、図１１Ｄ参照）。さらに本体２３には全体の視認性を高めるため、黄色に着色を施している。
【００２２】
本発明の転落防止装置２０を受枠１０に装着した状態は、図７以下に示されており、図７の横断面は図８、図９に、また図８、図９の要部は図１１に夫々示されている。図７により、受枠１０の開口部１１は、ヒンジ部両側を除いて全域が本発明装置の本体２３によって覆われており、本体２３は、第１の支持部２４、２５、第２の支持部２６、２７及び第３の支持部２８、２９によって全周３６０度の５５パーセントに及ぶ約２００度の範囲において、広範囲の線状の連続的接触によって支えられ、外力に対しても安定性を保持していることが分かる。即ち、中心角ａが約５０度に及ぶ第１の支持部２４、２５は図９及び図１１Ａに示すように受枠下面に近い、受け止め部１２の主要部である内突縁１３に支持され、中心角ｂが約４０度に及ぶ第２の支持部２６、２７は図９及び図１１Ｂに示すように手掛け１４に支持され、第３の支持部２８、２９は第１、第２の支持部２４、２５、２６、２７の中間にて受枠１０の内周縁１６に１０度余りの中心角ｃで支持され（図９及び図１１Ｃ）、本体２３に加えられるであろう転落事故による荷重を、本体周縁部にて連続的に支持するものである。
【００２３】
本発明の転落防止装置２０は上述のようにして実施することができるものであり、強度向上手段及びずれ止め手段を有し、受枠１０のほぼ全周でほぼ均等に転落事故の荷重を受け止めるといって良いものであるので、特に広範囲に及ぶ線状の第１支持部２４、２５、第２支持部２６、２７は荷重の均等分散を実現し、第２支持部２６、２７と手掛け１４、１４及び係止口１９ａと突起１９ｂの各係止部分は、ずれ止めを果たし、さらに大荷重を受けた場合にも破壊に耐える。本発明に係る転落防止装置２０は、プラスチックを材料として、高強度のものを製作することができ、また覆い部２１に設ける透孔３３については孔径及びピッチを１０〜１５ミリメートルとすることによって小石等の落下を効果的に防ぐことができ、かつまたマンホール内における人工照明なしでの作業が保証される。
【００２４】
本発明においては、受け止め部の主要部は、受枠の有効径を規定する箇所よりも外側かつ受枠のほぼ最下部に設けてそこに第１の支持部２４、２５を支持させるため、受枠の有効径が損なわれず、人の出入りの妨げにならないものである。また、受け止め部１２の主要部を受枠１０の最下部に設けているため転落防止装置２０を最も低い位置に配置することになり、上部に広い空間を取ることができるので蓋体裏面との干渉が起こらないという特徴がある。
【図面の簡単な説明】
【００２５】
【図１】本発明に係る地下構造物用転落防止装置の１実施例を示す斜視図。
【図２】図１の装置を受枠に取り付けた斜視図。
【図３】Ａは図１の装置の本体の背面図、Ｂは同じく平面図、Ｃは同じく正面図。
【図４】図３ＢのＩＶ−ＩＶ線断面図。
【図５】図３ＢのＶ−Ｖ線断面図。
【図６】図１の装置の本体の底面図。
【図７】図１の装置を受枠に取り付けた状態を示す平面図。
【図８】図７のＶＩＩＩ−ＶＩＩＩ線断面図。
【図９】図７のＩＸ−ＩＸ線断面図。
【図１０】図７のＸ−Ｘ線断面図。
【図１１】Ａは図９のＡ部分の、Ｂは図９のＢ部分の、Ｃは図８のＣ部分の、Ｄは図９のＤ部分の、Ｅは図１０のＥ部分の拡大断面図。
【図１２】閉塞栓を組み付けた状態を示す図１の装置の本体の断面図。
【符号の説明】
【００２６】
１０  受枠
１１  開口部
１２  受け止め部
１３  内突縁
１４  手掛け
１６  内周縁
２０  転落防止装置
２１  覆い部
２２  立ち上がり部
２３  本体
２４、２５  第１の支持部
２６、２７  第２の支持部
２８、２９  第３の支持部
３３  透孔
３５、３６  取っ手
４０  反射板
４１  閉塞栓
【図１】
2006257733.tif 000003
【図２】
2006257733.tif 000004
【図３】
2006257733.tif 000005
【図４】
2006257733.tif 000006
【図５】
2006257733.tif 000007
【図６】
2006257733.tif 000008
【図７】
2006257733.tif 000009
【図８】
2006257733.tif 000010
【図９】
2006257733.tif 000011
【図１０】
2006257733.tif 000012
【図１１】
2006257733.tif 000013
【図１２】
2006257733.tif 000014